(57)【特許請求の範囲】
【請求項１】
第１の端部および第２の端部を有する補聴器ハウジングを有する補聴器であって、
音声信号を受信するように構成されたマイクロホンと、
ユーザの聴力損失を補うために前記音声信号を処理するように構成された処理ユニットと、
前記補聴器ハウジングの前記第１の端部よりも前記補聴器ハウジングの前記第２の端部の近くに設けられたバッテリと、
無線通信のための１つ以上の無線通信ユニットと、
前記１つ以上の無線通信ユニットのうちの１つと相互に接続された、電磁場の放射および／または受信のための第１のアンテナの少なくとも一部と、
前記１つ以上の無線通信ユニットのうちの１つと相互に接続された、電磁場の放射および／または受信のための第２のアンテナと、
を備えており、
前記第２のアンテナは、前記バッテリの中心軸と前記補聴器の前記第２の端部との間に設けられている、
補聴器。
【請求項２】
−  前記ユーザの耳の後ろの前記補聴器ハウジング内に配置されるように構成された第１の補聴器部分と、
−  前記ユーザの前記耳内に配置されるように構成された第２の補聴器部分と、
−  前記第１の補聴器部分と前記第２の補聴器部分とを結合する結合要素と、
を備える、請求項１に記載の補聴器。
【請求項３】
前記第１の補聴器部分は前記バッテリを備え、
前記第２の補聴器部分はスピーカを備える、請求項２に記載の補聴器。
【請求項４】
前記結合要素は前記第１のアンテナの少なくとも一部を含む、請求項２に記載の補聴器。
【請求項５】
前記第２のアンテナは第２の方向に長手方向延伸部を有する、請求項１〜４のいずれか一項に記載の補聴器。
【請求項６】
前記第１のアンテナ（電気）は、１つ以上の平面内に設けられ、
前記１つ以上の平面は、前記第２の方向に対して、例えば９０°±３５°の範囲内で直交する、請求項５に記載の補聴器。
【請求項７】
前記第１のアンテナは第１の周波数範囲で放射するように構成され、
前記第２のアンテナは第２の周波数範囲で放射するように構成される、請求項１〜６のいずれか一項に記載の補聴器。
【請求項８】
前記第１のアンテナは電気アンテナであり、前記第２のアンテナは磁気アンテナである、請求項１〜７のいずれか一項に記載の補聴器。
【請求項９】
前記第１のアンテナは、使用中、８００ＭＨｚを超える周波数で、例えば１ＧＨｚを超える周波数で、例えば２．４ＧＨｚの周波数で、動作するように構成される、請求項１〜８のいずれか一項に記載の補聴器。
【請求項１０】
前記第２のアンテナは、使用中、１００ＭＨｚ未満の周波数で、例えば１０ＭＨｚ未満で、動作するように構成される、請求項１〜９のいずれか一項に記載の補聴器。
【請求項１１】
前記第２のアンテナは、１ＭＨｚと１００ＭＨｚの間の周波数で動作するように構成される、請求項１〜１０のいずれか一項に記載の補聴器。
【請求項１２】
前記第１のアンテナは、第１のビットレートでのデータ通信を行うように構成される、請求項１〜１１のいずれか一項に記載の補聴器。
【請求項１３】
前記第２のアンテナは、第２のビットレートでのデータ通信を行うように構成され、
前記第２のビットレートは、前記第１のビットレートよりも大きく、例えば１０倍大きい、請求項１２の記載の補聴器。
【請求項１４】
ユーザの第１の耳および第２の耳にそれぞれ提供される第１の補聴器および第２の補聴器を備えた両耳用補聴器システムであって、前記補聴器の一方または両方が請求項１〜１３のいずれか一項に記載の補聴器である、両耳用補聴器システム。
【発明の詳細な説明】
【技術分野】
【０００１】
本発明は、補聴器用のアンテナに関し、特に、本発明は、２つ以上のアンテナを有する補聴器、例えば、電気アンテナおよび磁気アンテナの組み合わせを有する補聴器に関する。補聴器は両耳用補聴器システムに使用されてもよい。動作中、補聴器はユーザの耳に装着される。
【背景技術】
【０００２】
補聴器は、非常に小型で繊細なデバイスであり、ヒトの外耳道に適合するか、または外耳の後ろに配置されるほど十分に小さいハウジング内に収容される多くの電子部品および金属部品を備える。小型の補聴器ハウジングと組み合わせた多くの電子部品および金属部品は、無線通信能力を有する補聴器に使用される無線周波数アンテナに高度な設計上の制約を課す。
【０００３】
さらに、補聴器のアンテナは、補聴器のサイズによって課されるこれらの制限および他の高度な設計上の制約にもかかわらず、満足のいく性能を達成するように設計されなければならない。
【０００４】
さらに、両耳用補聴器システムでは、両耳用補聴器システムにおける補聴器間の通信の品質に対する要求がますます高まっており、低遅延および低ノイズに対する要求など、補聴器における有効なアンテナに対する要求は増加している。
【発明の概要】
【課題を解決するための手段】
【０００５】
本発明の目的は、改善された無線通信能力、例えば、ユーザの両耳に装着された２つの補聴器間および／または補聴器とアクセサリデバイスとの間の改善された無線通信能力を有する補聴器を提供することである。
【０００６】
本発明によれば、上記およびその他の目的は、第１の端部および第２の端部を有する補聴器ハウジングを有する補聴器であって、音声信号を受信するように構成されたマイクロホンと、ユーザの聴力損失を補うために音声信号を処理するように構成された処理ユニットと、処理済み音声信号をユーザに提供するスピーカと、バッテリと、無線通信のための１つ以上の無線通信ユニットと、１つ以上の無線通信ユニットのうちの１つと相互に接続された、電磁場の放射および／または受信のための第１のアンテナと、１つ以上の無線通信ユニットのうちの１つと相互に接続された、電磁場の放射および／または受信のための第２のアンテナと、を備える、補聴器によって達成される。
【０００７】
バッテリは、補聴器の第１の端部よりも補聴器の第２の端部の近くに設けられてよく、第２のアンテナは、バッテリ、例えばバッテリの中心軸、と補聴器の第２の端部との間に設けられてよい。第１のアンテナは、バッテリ、例えばバッテリの中心軸、と補聴器の第１の端部との間に設けられてよい。
【０００８】
第１のアンテナおよび第２のアンテナが補聴器に設けられて補聴器の無線通信能力を増大させることがこの補聴器の利点である。
【０００９】
本発明のさらなる態様によると、ユーザの第１の耳および第２の耳にそれぞれ提供される第１の補聴器および第２の補聴器を備えた両耳用補聴器システムであって、補聴器の一方または両方が本明細書に開示される補聴器である、両耳用補聴器システムが開示される。
【００１０】
第１のアンテナは第１の周波数範囲で放射するように構成されてよく、第２のアンテナは第２の周波数範囲で放射するように構成されてよい。
【００１１】
第１のアンテナはバッテリの第１の側に設けられてよく、第２のアンテナはバッテリの第２の側に設けられてよく、バッテリの第１の側とバッテリの第２の側とは、バッテリの横方向または縦方向のそれぞれ反対側であってよい。第１のアンテナは、バッテリと補聴器の第１の端部との間に設けられてよい。
【００１２】
１つ以上の実施形態において、補聴器は信号プロセッサを含む補聴器電子部品を備える。補聴器電子部品は、プリント回路基板に設けられてよく、典型的には、補聴器電子部品は、バッテリの第１の側に、例えば、バッテリと補聴器の第１の端部との間に設けられてよい。本明細書において、バッテリは、第２のアンテナに対して第１のアンテナおよび／または補聴器電子部品により発生するノイズに対する遮蔽を提供する。このように、バッテリは、第２のアンテナの遮蔽要素として機能できる。
【００１３】
補聴器は、任意の補聴器、例えば、ＩＴＣ（Ｉｎ−Ｔｈｅ−Ｃａｎａｌ）型、ＣＩＣ（Ｃｏｍｐｌｅｔｅｌｙ−Ｉｎ−ｔｈｅ−Ｃａｎａｌ）型の補聴器のようなＩＴＥ（Ｉｎ−Ｔｈｅ−Ｅａｒ）型の補聴器等、ＢＴＥ（Ｂｅｈｉｎｄ−Ｔｈｅ−Ｅａｒ）型の補聴器、ＲＩＥ（Ｒｅｃｅｉｖｅｒ−Ｉｎ−ｔｈｅ−Ｅａｒ）型の補聴器等であってよい。
【００１４】
典型的には、補聴器は、ユーザの耳の後ろに配置されるように構成された補聴器部分と、音声または可聴周波音をユーザの耳につなぐ結合要素とを備える。
【００１５】
１つ以上の実施形態において、補聴器は、ユーザの耳の後ろに配置されるように構成された第１の補聴器部分と、ユーザの耳内に配置されるように構成された第２の補聴器部分と、第１の補聴器部分および第２の補聴器部分を結合する結合要素と、を備える。第１の補聴器部分はバッテリを備えてよく、第２の補聴器部分はスピーカを備えてよい。典型的には、第１の補聴器部分は少なくとも、マイクロホンと、ユーザの聴力損失を補うために音声信号を処理するように構成された処理ユニットと、バッテリとを備えるのに対し、スピーカは第２の補聴器部分に設けられてよい。典型的には、１つ以上の無線通信ユニットも第１の補聴器部分に設けられる。第１の補聴器部分は第１の補聴器ハウジングに設けられてよく、第２の補聴器部分は第２の補聴器ハウジングに設けられてよい。このような補聴器は、典型的には、Ｒｅｃｅｉｖｅｒ−Ｉｎ−ｔｈｅ−Ｅａｒ型補聴器、すなわちＲＩＥ型補聴器と呼ばれる。
【００１６】
１つ以上の実施形態において、補聴器は、ユーザの耳の後ろに配置されるように構成された第１の補聴器部分と、第１の補聴器部分とユーザの外耳道とをつなぐ結合要素と、を備える。このような補聴器は、典型的には、Ｂｅｈｉｎｄ−Ｔｈｅ−Ｅａｒ型補聴器、すなわちＢＴＥ型補聴器と呼ばれる。
【００１７】
結合要素は、処理済み音声をユーザの耳、すなわち外耳道に提供できる。結合要素は、第１の補聴器部分に設けられた信号プロセッサから処理済み音声信号を受信するスピーカまたはレシーバを備える第２の補聴器部分への電気的接続を含んでよい。結合要素は、処理済み音声を耳に提供する音響管または薄い管を備えてよい。結合要素は、処理済み音声をユーザの耳に提供するイヤフックを備えてよい。
【００１８】
１つ以上の実施形態において、結合要素は第１のアンテナの少なくとも一部を含んでよい。このように第１のアンテナは、結合要素内に延びるアンテナの少なくとも一部を有してよく、アンテナは、第１の補聴器部分の内部に別の部分および／または第２の補聴器部分の内部にさらなる部分を有してよい。
【００１９】
しかしながら、いくつかの実施形態では、第１のアンテナおよび第２のアンテナは、第１の補聴器部分内に、例えば、第１の補聴器ハウジング内に設けられる。その他の実施形態では、第１のアンテナは結合要素内へと突出できる。
【００２０】
補聴器ハウジング、例えば、第１の補聴器ハウジングおよび／または第２の補聴器ハウジングは、補聴器の部品を含む補聴器アセンブリを構成でき、補聴器アセンブリは補聴器ハウジング内に設けられる。補聴器ハウジングは、典型的には、ユーザの耳内、外耳道内、または耳の後ろに提供されるように構成された形状のポリマー製またはプラスチック製のシェル等のシェルを備える。結合要素は典型的には、補聴器ハウジングに取り付け可能である。
【００２１】
１つ以上の無線通信ユニットは無線データ通信を行うように構成され、この点において電磁場の放射および／または受信のための第１のアンテナおよび／または第２のアンテナと相互接続される。１つ以上の無線通信ユニットはそれぞれ、トランスミッタ、レシーバ、トランスミッタ−レシーバペア、例えば、トランシーバ、無線ユニット等を含んでよい。１つ以上の無線通信ユニットは、Ｂｌｕｅｔｏｏｔｈ（登録商標）、ＷＬＡＮ標準規格、製造業者特有のプロトコル、例えば、専用近接アンテナプロトコル、例えばプロプラエタリプロトコル、例えば低電力無線通信プロトコル、ＲＦ通信プロトコル、磁気誘導プロトコル等の、当業者に公知の任意のプロトコルを使用して通信を行うように構成されてよい。１つ以上の無線通信ユニットは、同じ通信プロトコル、すなわち同じ種類の通信プロトコルを使用して通信を行うように構成されても、または１つ以上の無線通信ユニットは異なる通信プロトコルを使用して通信を行うように構成されてもよい。
【００２２】
１つ以上の実施形態において、第１のアンテナは第１の方向に長手方向延伸部を有する。したがって、第１のアンテナは第１の方向に全体的な長手方向延伸部を有してよい。方向は、第１のアンテナが沿って延びる直線または経路を示してよい。例えば、第１のアンテナの全長は第１のアンテナの全幅よりも大きくてもよく、長手方向延伸部が長さ方向にあることを示す。
【００２３】
第１のアンテナは、１つ以上の主要平面内において延びてよく、例えば、実質的に主要平面内で延びてよく、例えば、第１のアンテナの少なくとも９５％、９０％、８５％、または８０％が、１つ以上の主要平面内で延びてよい。１つ以上の主要平面は平行な主要平面であってよい。
【００２４】
したがって、例えば、第１のアンテナは、補聴器ハウジングの第１の面に沿って延びる第１のアンテナ要素と、補聴器ハウジングの第２の面に沿って延びる第２のアンテナ要素とを備えてよい。
【００２５】
補聴器ハウジングの第１の面は、補聴器ハウジングの第１の長手方向面であってよく、補聴器ハウジングの第２の面は、補聴器ハウジングの第２の長手方向面であってよい。第１の面は第２の面の反対側の面であってよい。
【００２６】
１つ以上の実施形態において、第２のアンテナは、第２の方向において長手方向延伸部を有してよく、第２の方向は、補聴器が使用中にその動作位置で装着されたとき、ユーザの耳間軸（ｅａｒ−ｔｏ−ｅａｒ  ａｘｉｓ）に対して平行であるか、または０／１８０°±３５°である。
【００２７】
第２の方向は、主要平面のうち少なくとも１つに対して９０°±３５°等で直交しており、例えば、１つ以上の平行な主要平面に対して９０°±３５°等で直交している。
【００２８】
１つ以上の実施形態において、第２の方向は、補聴器のある面に対して９０°±３５°である方向であり、ここではこの面は使用中ユーザの頭部に隣接している。
【００２９】
したがって、例えば、第１のアンテナは実質的に主要平面内で延びてよいのに対し、第２のアンテナは主要平面と直交する第２の方向に延びてよい。
【００３０】
第１のアンテナは第１の方向に全体的な長手方向延伸部を有してよいのに対し、第２のアンテナは第１の方向と直交する第２の方向に延びてよい。
【００３１】
１つ以上の実施形態において、第１のアンテナは、第１の放射パターンを有するように構成され、第２のアンテナは、第２の放射パターンを有するように構成され、第１の放射パターンは第２の放射パターンとは異なる。
【００３２】
第１のアンテナおよび／または第２のアンテナのための近接場パターンは、ＴＭ偏極された近接場であってよい。第１の放射パターンおよび／または第２の放射パターンは、電磁場全体の主要部分、例えば、電磁場全体の７５％超、８０％超、８５％超、９０％超が電場によってもたらされるように、電場が支配的であってもよい。
【００３３】
本明細書に開示されている補聴器の利点は、ほとんどの頭部のサイズ、形状、および毛髪量に対して改善された無線での耳から耳への通信を達成できることである。ヒトの頭部およびヒトの耳はサイズおよび形状が様々であり、また毛髪量も人によって異なる。無線通信に適した補聴器は、例えば、ユーザの頭部により、耳から耳への通信等の障害に敏感な場合がある。一方の補聴器からの電波は、もう一方の耳の補聴器に到達するために頭部を通過するかまたは頭部の周りを通らなければならない場合がある。したがって、耳から耳への通信にとってヒトの頭部は障害物として認識され得る。補聴器に設けられるアンテナが耳から耳への通信を改善することが本発明の利点である。
【００３４】
１つ以上の実施形態において、第１のアンテナは、第１の周波数範囲で動作するように構成され、第２のアンテナは、第２の周波数範囲で動作するように構成される。第１の周波数範囲は第２の周波数範囲より高い周波数を含んでよい。
【００３５】
第１のアンテナは電気アンテナであってよく、第２のアンテナは磁気アンテナであってよい。
【００３６】
第１のアンテナは、使用中、第１の周波数範囲で、例えば８００ＭＨｚを超える周波数で、例えば１ＧＨｚを超える周波数で、例えば２．４ＧＨｚの周波数で、例えば１．５ＧＨｚ〜３．０ＧＨｚの間の周波数で、動作するように構成されてよい。したがって、第１のアンテナはＩＳＭ周波数帯域における動作をするように構成されてよい。第１のアンテナはこれらの周波数で動作できる任意のアンテナであってよく、第１のアンテナは、モノポールアンテナ、ダイポールアンテナ等の共振アンテナであってよい。共振アンテナは、λ／４またはその任意の倍数の長さを有してよく、λは放射された電磁場に対応する波長である。
【００３７】
第２のアンテナは、使用中、第２の周波数範囲で、例えば１００ＭＨｚ未満の周波数で、例えば３０ＭＨｚ未満で、例えば１５ＭＨｚ未満で、動作するように構成されてよい。第２のアンテナは、１ＭＨｚ〜１００ＭＨｚの周波数範囲で、例えば１ＭＨｚ〜１５ＭＨｚの間で、例えば１ＭＨｚ〜３０ＭＨｚで、例えば５ＭＨｚ〜３０ＭＨｚで、例えば５ＭＨｚ〜１５ＭＨｚで、例えば１０ＭＨｚ〜１１ＭＨｚで、例えば１０．２ＭＨｚ〜１１ＭＨｚで、動作するように構成されてよい。
【００３８】
特に、１０ＭＨｚ未満または１００ＭＨｚ未満の周波数で動作する第２のアンテナの場合、そのような周波数で動作する第２のアンテナは補聴器電子部品に起因するノイズの影響を受け易くなり得るため、第２のアンテナと補聴器電子部品との間にバッテリが設けられていることが有利である。
【００３９】
現在の通信システムでは、多数の異なる通信システムが２．４ＧＨｚまたは約２．４ＧＨｚで通信するため、２．４ＧＨｚまたは約２．４ＧＨｚの周波数範囲にも大きなノイズが存在する。例えばデータ通信のためにノイズが許容可能ないくつかの用途では、第１のアンテナ、例えば第１の電気アンテナを使用してもよいことが本発明の利点である。高いノイズレベルが伝送に大きく影響し得る他の用途では、第２のアンテナ、例えば磁気アンテナを使用してもよい。例えば、第２のアンテナは、音声のストリーミングに使用されてもよい。
【００４０】
１つ以上の実施形態では、第１のアンテナは、第１のビットレートでのデータ通信を行うように構成される。１つ以上の実施形態において、第２のアンテナは、第２のビットレートでのデータ通信を行うように構成され、第２のビットレートは、第１のビットレートよりも大きく、例えば、１０倍、３０倍、５０倍、１００倍大きい。
【００４１】
第２のアンテナは、磁気誘導を使用する通信を行うように構成されてもよい。典型的には低遅延が得られることが磁気誘導を用いることの利点である。特に、音声をストリーミングする場合、ユーザがすぐに分かる遅延を避けるために、遅延を低く抑えることが重要である。典型的には、１００ｍｓ未満、例えば、５０ｍｓ未満、２５ｍｓ未満、１０ｍｓ未満、５ｍｓ未満、１ｍｓ未満の遅延が好ましい。
【００４２】
例えば両耳用システムにおける第１の補聴器と第２の補聴器との通信に磁気誘導を使用することのさらなる利点は、低周波、すなわち典型的には１００ＭＨｚ未満であって、それに対応して長波長の場合、頭部は、第２のアンテナによって放射される電磁放射にとって大きな障害物とみなされないため、周波数が減少すると、組織吸収による電磁放射の減少が抑えられることである。
【００４３】
以下、本発明は、主として両耳用補聴器等の補聴器に関して説明される。しかし、開示された特徴および実施形態は、本発明の任意の態様と組み合わせて使用され得ることが想定される。
【図面の簡単な説明】
【００４４】
本発明の上記および他の特徴および利点は、添付の図面を参照しながら、例示的実施形態を詳細に説明することにより当業者には容易に明らかとなるであろう。
【００４５】
【図１】本開示の一実施形態による補聴器の概略図を示す。
【図２】本開示によるイヤフック付きＢＴＥ型補聴器を示す。
【図３】本開示によるＲＩＥ型補聴器を示す。
【図４ａ】本開示による補聴器の構成部品を概略的に示す。
【図４ｂ】本開示による補聴器の構成部品を概略的に示す。
【図５】本開示による補聴器の立体図を示す。
【図６】バッテリの陰影効果を示す。
【発明を実施するための形態】
【００４６】
ここで本発明を、本発明の例示的実施形態が示されている添付の図面を参照して、以下でより完全に説明する。しかしながら、本発明は異なる形態で実施することができ、また本明細書で記載される実施形態に限定されるものとして解釈されるべきではない。むしろ、本開示が完璧かつ完全であるように、また当業者に完全に本発明の範囲を伝えるように、これらの実施形態が提供される。
【００４７】
本明細書で使用される場合、用語「アンテナ」は、電力または磁力を電波に変換する電気デバイスまたは磁気デバイスを指す。電気アンテナは、無線チップ、レシーバ、またはトランスミッタのような無線通信ユニット等に接続された導電性材料を含んでよい。磁気ループアンテナ等の磁気アンテナは、磁性材料のコアに巻かれた導電性材料のコイルを含んでよい。
【００４８】
図１は、補聴器のブロック図を示す。図１において、補聴器１０は、入ってくる音声を受信し、それを音声信号、すなわち第１の音声信号に変換するためのマイクロホン１１を備える。第１の音声信号は、第１の音声信号を補聴器のユーザの聴力損失を補う第２の音声信号に処理する信号プロセッサ１２に供給される。レシーバ１３は、信号プロセッサ１２の出力に接続されており、第２の音声信号を出力音声信号、例えばユーザの聴覚障害を補うように変調された信号、に変換して、出力音声をスピーカ１３に提供する。したがって、聴覚機器の信号プロセッサ１２は、増幅器、圧縮器、およびノイズ除去システム等の要素を備えていてもよい。補聴器はさらに、出力信号を最適化するためのフィードバックループを有してよい。補聴器は、無線通信のための１つ以上の無線通信ユニット１４、１６（例えば、トランシーバ）を有し、各々は電磁場の放射および受信のためにアンテナ１５、１７と相互接続される。無線通信ユニット１４、１６は、両耳用補聴器システムにおいて、外部装置または別の耳に配置された別の補聴器と通信するために、補聴器の信号プロセッサ１２およびアンテナ１５、１７に接続されてよい。信号プロセッサ１２と、１つ以上の無線通信ユニット１４、１６と、アンテナ１５、１７とは補聴器ハウジング１８に設けられてよい。いくつかの実施形態では、スピーカ１３は、Ｂｅｈｉｎｄ−Ｔｈｅ−Ｅａｒ（ＢＴＥ）型補聴器等において、補聴器ハウジング１８内の第１の補聴器部分に設けられる。他の実施形態では、スピーカ１３は、第２の補聴器部分１９に設けられ、例えば、Ｒｅｃｅｉｖｅｒ−Ｉｎ−ｔｈｅ−Ｅａｒ（ＲＩＥ）型補聴器等において、ユーザの耳の内部に設けられる。
【００４９】
図２には、補聴器１０が示されており、補聴器１０は、使用中にユーザの耳の後ろに配置されるように構成されている。補聴器１０は、ＢＴＥ型補聴器である。補聴器１０は、補聴器ハウジング１８および結合要素２０を備える。図２では、スピーカ１３（図２には図示せず）は、補聴器ハウジング１８内に配置され、結合要素２０は、音声をユーザの耳につなぐ。補聴器は、補聴器の１つ以上の無線通信ユニット１４、１６、信号プロセッサ１２等を含む電子部品に電力を供給するためのバッテリ２２をさらに備える。バッテリ２２は、補聴器ハウジング１８の第１の端部２４よりも補聴器ハウジング１８の第２の端部２６の近くに設けられていることが分かる。補聴器はさらに第１のアンテナ１５および第２のアンテナ１７を備える。
【００５０】
図２では、第１のアンテナ１５は補聴器ハウジング１８に設けられる。しかしながら、いくつかの実施形態では、第１のアンテナが結合要素２０内に延びてよいと考えられる。第１のアンテナ１５は、モノポールまたはダイポール電気アンテナ等の電気アンテナである。第１のアンテナ１５は、プリント回路基板２８に設けられてよく、プリント回路基板２８は、フレキシブルプリント回路基板２８であってよい。さらなる電子部品がプリント回路基板２８に設けられてよい。
【００５１】
第２のアンテナ１７は、バッテリと第２の端部との間、例えば、バッテリ２２の中心軸２１と補聴器の第２の端部２６との間に設けられるかまたは配置される。典型的には、第２のアンテナ１７は、誘導結合を確立するための磁気アンテナであり、第２のアンテナは、磁気ループアンテナ、コイルアンテナ等のループアンテナであってもよい。
【００５２】
いくつかの実施形態では、バッテリは、ボタンセル型バッテリまたはコインセル型バッテリのような円形の平らなバッテリであり、バッテリの中心軸は、バッテリの第１の平らな面からバッテリの他方の平らな面までバッテリの中心を通る軸である。いくつかの実施形態では、さらなるバッテリ軸２７は、バッテリの中心と電池の円周上の点を通る軸として定義され、さらなるバッテリ軸は、バッテリの中心位置において、補聴器ハウジング１８の上面および／または底面に対して９０°±１５°、９０°±３５°等のように直交している。
【００５３】
バッテリは、コインセル型バッテリタイプのような円形の平らなバッテリであってよく、バッテリは、補聴器ハウジング１８の長手方向軸に沿う、例えば第１の補聴器部分３３の長手方向軸に沿う平らな面を備えてよい。
【００５４】
第２のアンテナ１７は、バッテリの中心軸２１およびさらなるバッテリ軸２７の両方が第２のアンテナ１７の一方の側にあり、補聴器ハウジング３３の第２の端部２６、すなわち補聴器ハウジング３３の第１の部分が、第２のアンテナ１７の別の側にあるように設けられてよい。したがって、第２のアンテナ１７は、バッテリの中心軸２１およびさらなるバッテリ軸２７によって確立されるバッテリの中心平面と、補聴器ハウジング３３の第２の端部２６との間に配置される。
【００５５】
これにより、バッテリの陰影効果によって、第１のアンテナ１５と第２のアンテナ１７との間の干渉が低減されることが分かった。
【００５６】
図３には、別の補聴器３０が示されている。図３では、類似の数字は、図２に示す同じ要素を表す。しかし、図３では、補聴器は、ユーザの耳の後ろに配置されるように構成された第１の補聴器部分３３と、ユーザの外耳道内に配置されるように構成された第２の補聴器部分３１とを有する補聴器である。結合要素２０は、第１の補聴器部分３３’と第２の補聴器部分３１とを結合する。補聴器部分３１は、ハウジングまたはシェル３１の内部に設けられるものとして図示される。図３では、第１のアンテナ１５の第１の部分１５ａは、第１の補聴器部分３３内に、したがって第１の補聴器ハウジング３３内に設けられているが、第１のアンテナ１５の他の部分１５ｂは結合要素２０内に設けられる。第１のアンテナ１５の第１の部分１５ａは、第１の補聴器部分３３において第１の無線通信ユニット、例えば、トランシーバ（図３には図示されない）に接続される。
【００５７】
第２のアンテナ１７は、通常は、第１の無線通信ユニットとは異なる第２の無線通信ユニット、例えば、トランシーバに接続される。
【００５８】
図４ａおよび図４ｂは、本開示による補聴器を概略的に示す。図４ａは、補聴器の、例えば補聴器４０の第１の部分４１の側面図を示す。補聴器の第１の部分、すなわち第１の補聴器ハウジングまたは部分４１は、長手方向面４４および上面４９を有する。第１の補聴器部分４１は、第１の端部２４および第２の端部２６を有する。補聴器４０は、バッテリ４２と、第１のアンテナ４５と、第２のアンテナ４７とを有する。バッテリは、補聴器の第１の端部２４よりも補聴器の第１の部分４１の第２の端部２６の近くにおいて第１の補聴器部分４１に設けられていることが分かる。したがって、第２の端部２６からバッテリの中心軸４３までの第１の距離２は、第１の端部２４からバッテリの中心軸４３までの第２の距離４よりも小さい。
【００５９】
第１のアンテナ４５は、第１の補聴器部分、すなわち補聴器ハウジング４１の面、例えば長手方向面４４に沿って延びる。第２のアンテナ４７は、紙面に直交する長手方向軸４６を有する磁気ループアンテナである。バッテリ４２の中心軸４３は、紙面に直交するため、磁気ループアンテナ４７の長手方向軸４６と平行、例えば±１５°の範囲で平行、例えば±３５°の範囲で平行である。
【００６０】
さらなるバッテリ軸４８は、バッテリの中心位置において補聴器ハウジング４１の上面および／または底面に対して、例えば、９０°±１５°、９０°±３５°の角度を有して第１の補聴器ハウジング４１の上面４９に直交するように見える。
【００６１】
図４ｂにおいて、補聴器４０は、第１の補聴器ハウジング４１の第２の端部２６の端面から見たものである。補聴器ハウジング４１は、補聴器ハウジング４１のハウジングまたはシェルの端面４３を有する。バッテリ２２は、第１の端部（図４ｂには図示されない）よりも第２の端部２６の近くに配置されているのが分かり、第２のアンテナ４７は、第２の端部２６とバッテリ２２との間に配置されている。典型的には、第２のアンテナ４７は、磁性材料からなるロッド形状の磁気コア３８と、磁気コア３８に巻かれた導体からなる巻線３９とを備える。磁気コアは、長手方向軸５を有する。
【００６２】
第２のアンテナ４７は、磁性材料からなるロッド３８が第１の補聴器ハウジング４１内に横方向に設けられるように、したがって、第２のアンテナが第１の補聴器ハウジングの長手方向面４４に直交する長手方向を有するように設けられてもよい。したがって、長手方向軸５は、第１の補聴器ハウジングの長手方向面と９０°の、例えば９０°±１５°の、例えば９０°±３５°の角度を成してもよい。第２のアンテナ４７は、主に端面４２を介して放射することができる。磁気コア３８および巻線３９は、第２のアンテナ４７の長手方向部分を遮蔽するハウジング等のハウジング（図示せず）内に設けられてよい。
【００６３】
図５は、立体的な補聴器を概略的に示す。第１のアンテナ１５は第１の補聴器ハウジング１８の上部分にあるＰＣＢ２８上に設けられる。第１のアンテナは、トランシーバまたは無線１４に接続されている。バッテリ２２は、補聴器ハウジングの第１の端部２４よりも補聴器ハウジング１８の第２の端部２６の近くに設けられている。第２のアンテナ１７は、第１のアンテナ１５に対してバッテリの後ろに、したがってバッテリ２２と補聴器ハウジングの第２の端部２６との間に設けられていることが分かる。結合要素２０は、イヤフックまたは音響管の形態の結合要素を介して音を結合すること、または、ユーザの耳の内部に配置されたレシーバに、電気信号経路を備えた結合要素２０を介して信号を結合すること、のいずれかによって、補聴器ハウジング１８をユーザの耳（図示せず）に接続する。
【００６４】
図６は、第１の補聴器ハウジング等の第１の補聴器部分の内部に設けられたバッテリの陰影効果を概略的に示す。図６では、前述したように、紙面に直交する中心軸２１およびさらなるバッテリ軸４８を有するバッテリ２２が示されている。バッテリの一方の側において、アンテナは、バッテリによってバッテリの他方の側にあるアンテナの影響から遮蔽される。したがって、第２のアンテナ１７がバッテリ２２の後ろ、例えば、陰影領域６１内に設けられている場合、第２のアンテナ１７はバッテリ２２によって第１のアンテナ１５から遮蔽される。
【００６５】
バッテリの背後にある陰影領域６１は、バッテリ２２の中心軸２１よりも後方の領域として定義でき、より具体的には、陰影領域は、中心軸２１とさらなるバッテリ軸４８によって画定された平面の背後にある領域として定義できる。陰影領域６１はさらに規定されてもよい。したがって、軸６２、６２’は、さらなるバッテリ軸４８に対して第１のアンテナ１５の側に角度６３を有する軸として定義でき、角度６３は０〜４５°である。軸６２、６２’とバッテリの円周との交点には、接線が設けられ、陰影領域は中心軸２１とさらなるバッテリ軸４８とによって画定される平面、さらには接線６４、６４’の平面によって定義される。したがって、陰影領域６１に設けられた第２のアンテナ１７は、バッテリの陰影領域６１とは反対側の他方の側に設けられたアンテナ１５に対して遮蔽されていてもよい。
【００６６】
特定の実施形態を示し、説明したが、特定の実施形態は、特許請求の範囲に記載された発明を制限することを意図していないことが理解され、また当業者には各種変更および改変が特許請求の範囲に記載された発明の趣旨および範囲から逸脱することなく行われ得ることが明らかになるだろう。したがって、本明細書および図面は、限定するものではなくむしろ例示としてみなされるべきである。特許請求の範囲に記載された発明は、代替形態、改変形態、および均等形態を包含することが意図される。
【図１】
0006762966.tif 000002
【図２】
0006762966.tif 000003
【図３】
0006762966.tif 000004
【図４ａ】
0006762966.tif 000005
【図４ｂ】
0006762966.tif 000006
【図５】
0006762966.tif 000007
【図６】
0006762966.tif 000008